(57)【要約】【課題】設備装置の位置が正しい位置と異なる位置にあることを検出可能な設備管理システムを提供する。【解決手段】設備管理システム１００は管理装置２００と、管理装置２００と通信可能な複数の設備装置３００と、を有し、管理装置２００が設備装置に点灯を指示し、各設備装置によって照度が検出され管理装置２００に送信され、管理装置２００は各設備装置から送信された照度の大小比較から位置関係を求め、各設備装置が正しい位置に設置されているか否かを判断する。【選択図】図１
2016031866.tif 000002
【特許請求の範囲】
【請求項１】
管理装置と、前記管理装置と通信可能な複数の設備装置と、を有する設備管理システムであって、
前記管理装置は、
前記設備装置に出力を指示する出力指示手段と、
前記設備装置の正しい設置位置を記録している設置位置記録手段と、
前記設備装置が検出した強度を取得し、取得した強度の大小を比較する強度比較手段と、
前記設置位置記録手段に記録された前記設備装置の正しい設置位置と、前記強度比較手段による比較結果から得られる前記設備装置の位置関係と、を基に前記設備装置が正しい位置に設置されているか否かを判断する設置位置判断手段と、を有し、
前記設備装置は、
出力の強さが距離により減衰する性質の出力を行う出力手段と、
周囲の、前記出力手段による出力の強度を検出する出力強度検出手段と、を有することを特徴とする設備管理システム。
【請求項２】
前記設備装置は照明装置であって、
前記出力指示手段は、前記設備装置に点灯を指示し、
前記出力手段は、点灯により光を出力し、
前記出力強度検出手段は、光の強さである照度を強度として検出し、
前記強度比較手段は、前記設備装置が検出した照度を取得し、取得した照度の大小を比較することを特徴とする請求項１記載の設備管理システム。
【請求項３】
前記設備装置は、一定時間内に一定値以上の強度の増加があった場合に、前記出力手段による出力が行われたと判断する判断手段をさらに有し、
前記出力強度検出手段は、前記判断手段により前記出力手段による出力が行われたと判断された場合に強度の検出を行うことを特徴とする請求項１または２記載の設備管理システム。
【請求項４】
前記出力指示手段は、一定時間内に複数の出力を行うように出力を指示し、
前記判断手段は、一定時間内に一定値以上の強度の増加が一定回数以上あった場合に、前記出力手段による出力が行われたと判断することを特徴とする請求項１から３のいずれか１項に記載の設備管理システム。
【請求項５】
前記設備装置は格子状に配置されていて、
前記強度比較手段は、前記管理装置が出力を指示した前記設備装置と同じ行に配置された前記設備装置と、同じ列に配置された前記設備装置と、から取得した強度によって強度の大小を比較することを特徴とする請求項１から４のいずれか１項に記載の設備管理システム。
【請求項６】
前記出力指示手段は、複数の前記設備装置に同時に出力指示を行うことを特徴とする請求項１から５のいずれか１項に記載の設備管理システム。
【請求項７】
前記出力強度検出手段が検出する強度の、環境の影響による実際の強度との差を補正するための補正値を記録した補正情報記録手段をさらに有することを特徴とする請求項１から６のいずれか１項に記載の設備管理システム。
【請求項８】
管理装置から設備装置に出力を指示させる出力指示ステップと、
設備装置に出力を行わせる出力ステップと、
設備装置に出力の強度を検出させる出力強度検出ステップと、
管理装置に、前記出力強度検出ステップで検出した強度の大小を比較する強度比較ステップと、
設備装置の正しい設置位置と、前記強度比較ステップによる比較結果から得られる設備装置の位置関係と、を基に前記設備装置が正しい位置に設置されているか否かを判断する設置位置判断ステップと、を有することを特徴とする設備管理システム制御方法。
【請求項９】
コンピュータに、請求項８記載の方法で設備管理システムの制御を実行させるプログラム。
【発明の詳細な説明】
【技術分野】
【０００１】
本発明は設備管理システム、設備管理方法、及びプログラムに関し、特に、管理装置によって複数の設備装置を管理するための設備管理システム、設備管理方法、及びプログラムに関する。
【背景技術】
【０００２】
従来から、管理装置と、管理装置と通信可能な照明器具等の設備を組み合わせることで、管理装置が設備の動作を個別に遠隔制御し、室内等の設備の設置環境を快適にする技術が知られている。これらの技術においては、管理装置は設備の位置を既知の情報として持っている。
【０００３】
特許文献１には、故障した設備装置を他の設備装置で補い、在室者の快適性が低下することを防ぐ技術が開示されている。特許文献１記載の技術においては、照明などの設備装置とは別に室内に設置されているセンサ等の検出装置が、検出値等の設備装置の動作結果を管理装置に送信する。
【０００４】
管理装置は検出装置から受信した設備装置の動作結果によって、設備装置が故障しているかどうか判断し、設備装置が故障している場合は付近にある別の設備装置の出力を上げることなどを行うことで在室者の快適性の低下を防止している。
【発明の概要】
【発明が解決しようとする課題】
【０００５】
一般的に、照明等の設備は、メンテナンス等のために取り外され、再度取り付けられる際等に、取り外し前と取り付け後で設置位置が変わってしまう場合がある。特許文献１に記載されているような、既存の管理装置と設備の組み合わせからなる遠隔制御システムでは、管理装置は複数存在する設備の位置を事前に知っている必要があり、遠隔制御システムの運用中は設備が常に正しい位置にあることを前提としている。
【０００６】
そのため、前述のように、設備の位置が、管理装置が記憶している正しい位置と異なる位置に変わってしまった場合、遠隔制御システムが正しく動作しない可能性がある。このように、従来の技術においては、管理装置が設備の位置の変化を把握できず、システムが正常に動作しなくなるという問題がある。
【０００７】
本発明の目的は、設備装置の位置が正しい位置と異なる位置にあることを検出可能な設備管理システムを提供することにある。
【課題を解決するための手段】
【０００８】
本発明の設備管理システムは、管理装置と、前記管理装置と通信可能な複数の設備装置と、を有する設備管理システムであって、前記管理装置は、前記設備装置に出力を指示する出力指示手段と、前記設備装置の正しい設置位置を記録している設置位置記録手段と、前記設備装置が検出した強度を取得し、取得した強度の大小を比較する強度比較手段と、前記設置位置記録手段に記録された前記設備装置の正しい設置位置と、前記強度比較手段による比較結果から得られる前記設備装置の位置関係と、を基に前記設備装置が正しい位置に設置されているか否かを判断する設置位置判断手段と、を有し、前記設備装置は、出力の強さが距離により減衰する性質の出力を行う出力手段と、周囲の、前記出力手段による出力と同じ性質の出力の強さを検出する出力強度検出手段と、を有することを特徴とする。
【発明の効果】
【０００９】
本発明によれば、設備装置の位置が正しい位置と異なる位置にあることを検出可能な設備管理システムを提供することができる。
【図面の簡単な説明】
【００１０】
【図１】本発明の設備管理システムの実施形態１の全体の構成を示す図である。
【図２】本発明の管理装置の実施形態１の機能ブロックの構成を示すブロック図である。
【図３】本発明の管理装置の実施形態１の各機能ブロックの概要を示す図である。
【図４】本発明の管理装置の実施形態１のハードウェアの構成例を示すブロック図である。
【図５】本発明の設備装置の実施形態１の機能ブロックの構成を示すブロック図である。
【図６】本発明の設備装置の実施形態１の各機能ブロックの概要を示す図である。
【図７】本発明の設備装置の実施形態１のハードウェアの構成例を示すブロック図である。
【図８】本発明の設備管理システムの実施形態１の動作例を示すシーケンス図である。
【図９】本発明の設備装置の実施形態１の点灯検出時の動作例を示す図である。
【図１０】本発明の設備装置の実施形態１の設置例を示す図である。
【図１１】本発明の管理装置の実施形態１で記録している設備装置の設置位置の情報の例について示す図である。
【図１２】本発明設備管理システムの実施形態１で管理装置に通知される照度値のデータの例を示す図である。
【図１３】本発明の設備管理システムの実施形態１の設備装置の設置位置の正誤判断を行う動作を示すアクティビティ図である。
【図１４】本発明の設備管理システムの実施形態１の照度値の大小比較を行う動作を示すアクティビティ図である。
【図１５】本発明の設備管理システムの実施形態１の照度値の大小比較を行う対象のデータの例を示す図である。
【図１６】本発明の設備管理システムの実施形態１の設備装置の設置位置の変化を検出する動作を示すアクティビティ図である。
【図１７】本発明の設備管理システムの実施形態１の設備装置の設置位置が変化している例を示す図である。
【図１８】本発明の設備管理システムの実施形態１の設備装置の設置位置の変化を検出する例を示す図である。
【図１９】本発明の設備管理システムの実施形態２の構成を示す図である。
【図２０】本発明の管理装置の実施形態２で記録している設備装置の設置位置の情報の例について示す図である。
【図２１】本発明の設備管理システムの実施形態２の動作を示すアクティビティ図である。
【図２２】本発明の管理装置の実施形態２の設備装置の設置位置の変更の検出結果を示す図である。
【図２３】本発明の設備管理システムの実施形態３の構成を示す図である。
【図２４】本発明の設備管理システムの実施形態４の構成を示す図である。
【図２５】本発明の設備管理システムの実施形態４の構成を示す図である。
【図２６】本発明の設備管理システムの実施形態４の照度値の補正値の例を示す図である。
【図２７】本発明の設備管理システムの実施形態４の動作を示すアクティビティ図である。
【図２８】本発明の設備管理システムの実施形態５の動作を示す図である。
【図２９】本発明の設備管理システムの実施形態５の動作を示す図である。
【発明を実施するための形態】
【００１１】
＜実施形態１の構成＞
本発明の実施形態１の構成について説明する。図１は、設備管理システムの全体の構成を示している。設備管理システム１００は、管理装置２００と、複数の設備装置３００と、から構成されている。
【００１２】
図１に示すように、実施形態１における設備装置３００は照明装置である蛍光灯を例として挙げている。ただし、本発明における設備装置は、蛍光灯等の照明装置であっても良いし、その他の装置であっても良い。設備管理システム１００を構成する管理装置２００と複数の設備装置３００は、図１に示すように無線によって通信可能となっている。ただし、通信方式は無線に限るものでなく、天井や壁等にケーブルを設置して有線とすることも可能である。
【００１３】
図２は、管理装置２００の機能ブロックの構成を示したものである。管理装置２００は、通信部２０１、設置位置判断手段として機能する設置位置判断部２０２、設置位置記録手段として機能する設置位置記録部２０３を有する。また、管理装置２００は出力指示手段として機能する点灯指示部２０４、強度比較手段として機能する照度値比較部２０５、補正情報記録部２０６を有する。
【００１４】
また、図３に示すように、管理装置２００の各機能ブロックの機能の概要は以下の通りである。通信部２０１は、設備装置３００と通信を行う。設置位置判断部２０２は設備装置３００の設置位置が変化していないかの判断を行う。
【００１５】
設置位置記録部２０３は設備装置３００のそれぞれの設置位置の位置関係を記録している。点灯指示部２０４は、複数の設備装置３００のうちどの設備装置が点灯するかを指定する。照度比較部２０５は、設備装置３００が通知した照度値の比較を行う。補正情報記録部２０６は、設備装置３００が通知した照度値に適用する補正の情報を記録する。なお、照度値は、検出される光の強度を数値化したものである。
【００１６】
図４は、管理装置２００のハードウェア構成例を示す図である。図４に示す無線ＬＡＮインタフェース２５１は通信部２０１として機能する。ＨＤＤ２５２は、設置位置記録部２０３、補正情報記録部２０６として機能する。ＣＰＵ２５３は設置位置判断部２０２、点灯指示部２０４、照度比較部２０５として機能する。
【００１７】
図５は、設備装置３００の機能ブロックの構成を示したものである。設備装置３００は、通信部３０１、出力手段として機能する点灯部３０２、照度制御部３０３、出力強度検出手段として機能する照度検出部３０４、判断手段として機能する点灯判断部３０５を有している。
【００１８】
また、図６に示すように、設備装置３００の各機能ブロックの機能の概要は以下の通りである。通信部３０１は、管理装置２００と通信を行う。点灯部３０２は点灯を行う。照度制御部３０３は点灯の強さを制御する。照度検出部３０４は周囲の照度値を検出する。点灯判断部３０５は、照度検出部３０４が検出した照度値が周囲の設備装置３００によるものか否かを判断する。
【００１９】
図７は、設備装置３００のハードウェア構成例を示す図である。図７に示す無線ＬＡＮインタフェース３５１は通信部３０１として機能する。ＣＰＵ３５２は照度制御部３０３、点灯判断部３０５として機能する。ＬＥＤ３５３は点灯部３０２として機能する。照明センサ３５４は照度検出部３０４として機能する。
【００２０】
＜実施形態１の動作＞
図８は、管理装置２００が設備装置の動作例を示すシーケンス図である。図８を参照しながら、管理装置２００がどのように設備装置の設置位置を判断するかを説明する。図８に示すように、まず、管理装置２００は設備装置３０１０に対して点灯を要求する（ステップＳ１０２）。
【００２１】
設備装置３０１０が管理装置２００の指示に従って点灯部３０１２を点灯させると（ステップＳ１０３〜Ｓ１０５）、その周辺に設置されている設備装置３０２０は自身の照度検出部３０２４で照度を検出する（ステップＳ１０７）。そして、周辺の設備装置が点灯したことによる照度の増加と判断した場合には、「設備装置３０２０はＸＸルクスの照度を検出した」ことを管理装置２００に通知する（ステップＳ１０８〜Ｓ１１１）。
【００２２】
管理装置２００は全ての設備装置に対して順番に点灯を要求し、点灯を要求された設備装置は点灯部を点灯させ、点灯を要求された設備装置３０１０以外は照度検出部が照度を検出した際に照度値を管理装置２００に通知する。
【００２３】
全ての設備装置が点灯した際の、周辺の設備装置で検出された照度値の情報が管理装置２００に集まると、管理装置２００は照度の比較を行い（ステップＳ１１４）、設備装置の設置位置が変化していないか判断を行う（ステップＳ１１５）。
【００２４】
図９を参照しながら、設備装置の点灯判断部が点灯を検出する際の動きについて説明する。図９においては、横軸は時間経過、縦軸は設備装置の照度検出部が検出する照度値を表している。周囲の設備装置が点灯すると照度値が増加する。
【００２５】
設備装置の点灯判断部は、図９のΔｔで示す一定時間内に、照度値が図９のΔＶで示す一定値以上増加した場合に、周囲の設備装置が点灯したと判断する。図９においては、点灯判断部は、照度値の増加量を周囲の設備装置の点灯の判断基準としているが、照度値の絶対値によって判断するようにしても良い。
【００２６】
図１０は、複数の設備装置の設置する際の設置例である。以降の説明では、図１０に示す状態を、設備装置が正しく設置された状態とする。図１０に示すように、設備装置が正しく設置された状態においては、各設備装置に１〜４０の番号が付けられ、左上から右下に向かって行方向を優先して番号が昇順となるように横５行×縦８列の格子状に配置されている。
【００２７】
図１１は、管理装置２００の設置位置記録部２０３が記録している設備装置の設置位置の情報の例を示している。この場合、設置位置記録部２０３は、ある設備装置を基点として、最も近い設備装置、または設備装置群と、２番目に近い設備装置または設備装置群の情報を組にして記録している。
【００２８】
例えば、設備装置１３にとっては、図１０を見ると、隣接している設備装置８、１２、１４、１８が最も近い設備装置群となる。また、斜方向に位置している設備装置７、９、１７、１９が２番目に近い設備装置群となる。記録形式は図１１の例に限られず、他の形式であっても良い。
【００２９】
図１２は、設備装置から管理装置２００に照度通知によって送信される照度値の例を示している。図１２は、設備装置３が３００ルクスの照度を検知したことを示している。図１２に示すように、検知した設備装置名と照度値を組にしたデータが送信される。
【００３０】
図１３は、管理装置２００の設置位置判断部２０２が、設備装置の設置位置の正誤を判断する際の動作フローを示すアクティビティ図である。
【００３１】
図１３に示すように、まず、管理装置２００は複数の設備装置のうちの１台である設備装置Ｘを指定し、点灯を要求する（ステップＳ２０１）。次に、管理装置２００は、設備装置Ｘの周辺の設備装置から照度値を受信する（ステップＳ２０２）。
【００３２】
管理装置２００は、全ての周辺の設備装置から照度値を受信するか、一定時間経過すると（ステップＳ２０３）、設備装置Ｘ以外の点灯要求を行っていない設備装置に対して点灯を要求する。そして、設備装置Ｘの場合と同じようにその周辺の設備装置から照度値を受信する。管理装置２００は、これを全ての設備装置に対して行う（ステップＳ２０５、Ｓ２０６）。
【００３３】
次に、管理装置２００は照度値比較部２０５で、設備装置Ｘを基点として、照度値の大小関係が正しいかどうか検証する（ステップＳ２０７）。管理装置２００は、これを全ての設備装置に対して行う（ステップＳ２０８、２０９）。
【００３４】
最後に、管理装置２００は、設置位置判断部２０２で、設置位置が変化しているかどうかの判断を行い、設置位置が変化している可能性のある設備装置を探索する（ステップＳ２１０）。なお、照度値の大小関係が正しいかどうか検証する方法（ステップＳ２０７）及び、設置位置が変化している可能性のある設備装置を探索する方法（ステップＳ２１０）の詳細については後述する。
【００３５】
図１４は、管理装置２００が、照度値の大小関係が正しいかどうか検証する方法（図１３、ステップＳ２０７）の詳細を説明するものである。本処理は管理装置２００の設置位置判断部２０２が実施する。
【００３６】
設置位置判断部２０２は、設置位置記録部２０３が記録している設備装置の設置位置の情報を元に、設備装置の設置位置が正しい場合に、各設備装置から通知される照度値の大小関係を計算する（ステップＳ３０１）。設置位置が正しければ、照度値は対象の設備装置が近い程大きくなる。
【００３７】
その後、設置位置判断部２０２は、設備装置の設置位置が正しい場合の照度値の大小関係と、照度値比較部２０５が実施する、照度値の大小関係の比較結果が一致しているかを判断する（ステップＳ３０２）。一致している場合（ステップＳ３０３）は、照度値の大小関係は正しいと判断する（ステップＳ３０４）。一致していない場合（ステップＳ３０５）は、照度値の大小関係が正しくないと判断する（ステップＳ３０６）。
【００３８】
図１５は照度値の大小関係を比較する際に作成されるデータの例を示している。図１５に示すデータは、照度値の大小関係の検証結果を元に、検証結果情報として設置位置判断部２０２で作成される。図１５に示すように、検証結果情報は、比較情報番号と基点、近い設備装置、遠い設備装置、照度値の検証結果が１つの組となっている。図１５では照度値の検証結果が正しいことを○、正しくないことを×で表現している。
【００３９】
図１６は、設置位置が変化している可能性のある設備装置を探索する方法（図１３、ステップＳ２１０）の詳細を説明するものである。図１６に示す処理は、管理装置２００の設置位置判断部２０２によって実行される。まず、設置位置判断部２０２は、探索されていない組を１つ選択する（ステップＳ４０１）。
【００４０】
ここで、設置位置判断部２０２が全ての組を探索し終わっていた場合は、処理を終了する（ステップＳ４０２）。次に、設置位置判断部２０２は、選択した組に「設置位置が変化している可能性がある設備装置」が、「基点」「近い設備装置」「遠い設備装置」のいずれかに含まれていないかを確認する。含まれている場合、選択した組を探索済みとし、ステップＳ４０１へ戻る（ステップＳ４０４）。次に、設置位置判断部２０２は、選択した組の検証結果を確認する。
【００４１】
検証結果が正しい場合には組を探索済みとし、ステップＳ４０１へ戻る（ステップＳ４０６）。ここで、設置位置判断部２０２は、選択した組を探索済みとし、選択した組を基準組とする（ステップＳ４０８）。
【００４２】
そして、設置位置判断部２０２は、基準組と基点が同じかつ探索されていない組を選択する（ステップＳ４１１）。ここで、基準組と基点が同じかつ探索されていない組が存在しない場合、ステップＳ４０１へ戻る（ステップＳ４１０）。
【００４３】
設置位置判断部２０２は、選択した組に「設置位置が変化している可能性がある設備装置」が、「基点」「近い設備装置」「遠い設備装置」の何れかに含まれていないかを確認する。含まれている場合、選択した組を探索済みとし、ステップＳ４１１へ戻る（ステップＳ４１２）。
【００４４】
そして、含まれていない場合（ステップＳ４１３）、設置位置判断部２０２は、選択した組の検証結果を確認し、検証結果が正しい場合には組を探索済みとし、ステップＳ４１１へ戻る（ステップＳ４１４）。正しくない場合（ステップＳ４１５）、設置位置判断部２０２は、選択した組を探索済みとし、選択した組の基点の設備装置を「設置位置が変化している可能性がある設備装置」に加え、（Ｓ４１６）、ステップＳ４１１へ戻る。
【００４５】
図１７は、設備装置のうち、設備装置１８と設備装置２３の設置位置が入れ替わっている様子を示している。この場合、図１８に示すように、検証結果情報中の、組の基点が設備装置１８であるデータ番号１８は検証結果が×となり正しくない組が２つ以上存在するため、管理装置の設置位置判断部２０２は、設備装置１８の設置位置が変化している可能性があると判断する。
【００４６】
＜実施形態２の構成及び動作＞
実施形態２の構成及び動作について説明する。なお、以降の実施形態の説明において、基本的な構成及び動作は実施形態１と同じであり、主に実施形態毎に追加となる構成及び動作について説明する。
【００４７】
実施形態２では、設備装置Ａ〜Ｄが図１９に示すように配置されている。図１９では、設備装置Ａと設備装置Ｂとの間の距離は、設備装置Ａと設備装置Ｃとの間の距離より大きいが、設備装置Ａ設備装置Ｃとの間にパーティションが置かれている。
【００４８】
このため、設備装置Ａを点灯させた場合を考えると、設備装置Ｃで検出される照度値は、パーティションによって減衰し、設備装置Ｂで検出される照度値より小さくなる。これは実際の設備装置Ａ、Ｂ、Ｃの位置関係に反する結果である。しかし、設備装置Ａと設備装置Ｃを結んだ延長線上に設置されている設備装置Ｄは、設備装置Ｃと同様に、パーティションによる照度の減衰の影響を受けるため、設備装置Ｃより小さい照度値を検出する。
【００４９】
この関係はパーティションの有無に関係なく維持される。また、設備装置Ｃと設備装置Ｄとの間にパーティションが設置された場合は、設備装置Ｄのみが影響を受けるため、設備装置Ｃと設備装置Ｄの照度値の大小関係に影響はない。
【００５０】
以上より、管理装置２００が、点灯している設備装置を基点として、直線上に配置されていると認識している設備装置のみの照度値の大小関係を設置位置変化の検出に利用することになる。これにより、パーティション、壁、ドアの開閉などの環境の変化にロバストな検出を行うことができる。
【００５１】
図２０は、管理装置２００の設置位置記録部２０３が記録している設備装置の設置位置の情報の例を示している。図２０においては、管理装置２００が設備装置の設置位置の変化の検出に、ある設備装置を基点として、直線上に設置されている設備装置のみの照度値の大小関係を利用する。この場合、設置位置記録部２０３は、基点となる１台の設備装置に対して縦横方向に２台の設備装置を１列と見なし、最大４列の位置関係の情報を記録している。
【００５２】
図２１は、実施形態２における設置位置が変化している可能性のある設備装置を探索する方法を示している。実施形態１の場合、設置位置判断部２０２は、組の照度値の大小関係が正しくない場合、基点の設備装置のみに注目して、設置位置が変化している可能性のある設備装置を探索していた。
【００５３】
これに対し、実施形態２の場合は、基点が同じ組の数が少ないため、設置位置判断部２０２は、照度値の大小関係が正しくない組に含まれる全ての設備装置に注目して、設置位置の変化の可能性を検出している（ステップＳ５０８）。
【００５４】
図２２は、実施形態２における設備装置１８と設備装置２３の位置が入れ替わったケースについての、設備装置の設置位置の変更の検出結果を示す図である。設置位置判断部２０２は、点灯している設備装置を基点として、直線上に設置されている設備装置のみの照度値を図２１の方法に従って比較する。そして、設置位置判断部２０２は、閾値を超えた場合にはその設備装置の設置位置が変化している可能性があると判断する。
【００５５】
＜実施形態３の構成及び動作＞
図２３は実施形態３の照度値を検出する際の動作を示す図である。図２３に示すように、設備装置が設置されている室内などの環境が十分に広く、もしくは壁やパーティションなどで区切られていて、複数の設備装置を点灯させたとしても、検出する設備装置にとってその影響が微量である場合を想定している。
【００５６】
例えば、図２３に示すように、設備装置１と設備装置２３を同時に点灯させたとしても、設備装置１８で検出する照度値は、設備装置２３のみを点灯させた時と比べて、影響がほとんどないような場合である。この場合、管理装置２００は、複数の設備装置についての照度値を同時に検出でき、検出時間を短縮することができる。
【００５７】
＜実施形態４の構成及び動作＞
実施形態４は、図２４に示すような、環境光の違いが検出に影響を与える場合の実施形態である。図２４に示すように、設備装置は設置場所によって窓からの距離が変化し、検出する照度値に対する環境光の影響が異なる。図２４のように、日中は窓から近い位置に設置された設備装置は、周囲の設備装置の点灯非点灯に関係無く、環境光の影響によって高い照度値を検出する。
【００５８】
そのため、設備装置の設置場所は、照度値の大小関係の比較による、設備装置の設置位置の変化の判断に影響があり、管理装置２００は設備装置から取得した照度値に対して補正を行う必要がある。設備装置で検出される照度値に影響する要因としては、設置位置の他、時間帯、季節等が挙げられる。
【００５９】
図２５は設備装置が設置された室内を上から見た図である。各正方形が設備装置を示しており、Ａで示されるエリアの左側が窓、Ｃで示されるエリアの右側が壁である。図２５のＡで示されるエリアの設備装置は、窓から入ってくる光の影響を受けるため、設備装置の検出する照度値に対して、環境光が大きく影響していると考えられる。一方で、図中のＣで示されるエリアの設備装置の検出する照度値は、環境光の影響は少ないと考えられる。
【００６０】
図２６は、実施形態４における補正値の例を示す図である。補正情報は、管理装置２００の補正情報記録部２０６に記録されている。Ａは窓から入ってくる環境光の影響が大きいため−１００ルクス、Ｃは窓から入ってくる環境光の補正が小さいため、０ルクスの補正、即ち補正を行わない。
【００６１】
図２７は実施形態４の動作を示すシーケンス図である。実施形態１の動作を示すシーケンス図である図８と比較して、管理装置２００が設備装置から照度通知を受け取った後、照度通知を行った設備装置の設置場所に応じた補正値を取得するステップが追加されている（ステップＳ１１６）。
【００６２】
＜実施形態５の構成及び動作＞
図２８及び図２９は実施形態５の照度値の検出方法を示す図である。実施形態５は、明るい場所で設備装置を点灯させた場合の実施形態である。
【００６３】
図２８に示すように、明るい場所で設備装置が点灯した場合、点灯している設備装置の周辺の設備装置で検出される照度値は、暗い場所で設備装置が点灯した場合に比べて検出される照度値の増加量が少ない。そのため、周囲の設備装置から対象の設備装置の点灯を検出することは難しく、結果として管理装置２００による設備装置の設置位置の変化検出結果に悪影響が発生する可能性が高くなる。
【００６４】
そこで、設備装置の点灯判断部が、周囲の設備装置が点灯していると判断する基準となる照度値の増加量の基準値を小さくすれば、明るい場所でも周囲の設備装置の点灯を判断できる。しかし、人が通過したり、雲間から光が差したりといった周囲の影響による誤判断が発生する可能性が高くなる。
【００６５】
そこで、図２９に示すように、検出対象となる設備装置は点灯ではなく、点滅させるようにする。管理装置２００から設備装置に対して点滅要求を行い、周囲の設備装置の点灯判断部が、「一定時間内に一定以上の照度値の増加が一定回数以上発生した」ことを、周囲の設備装置が点灯の判断基準とすると、周囲の影響による誤判断の可能性は小さくなる。例えば、５秒以内に照度値が１０ルクス以上増加することが３回あれば点灯と判断する。
【００６６】
なお、上記の実施形態は、本発明の好適な実施形態であり、上記実施形態のみに本発明を限定するものではなく、本発明の要旨を逸脱しない範囲において種々の変更を施した形態での実施が可能である。
【００６７】
上記実施形態においては、設備装置の例として光を出力する蛍光灯を挙げているが、電磁波、音、熱等の出力地点からの距離によって減衰する性質の出力を行う装置であれば良い。例えば、スピーカ等の音声機器の場合であれば、照度の代わりに音量の上昇値を検出する。また、暖房器具等の加熱装置の場合であれば、照度の代わりに温度の上昇値を検出するようにすれば良い。
【００６８】
また、上記実施形態は、管理装置２００のＨＤＤ２５２にインストールされたプログラムによってＣＰＵ２５３によって制御されるようにしても良い。プログラムは管理装置と設備装置それぞれにインストールされていても良いし、ネットワークで接続された別のコンピュータ等の機器にプログラムをインストールし、制御を行うような構成であっても良い。
【符号の説明】
【００６９】
１００    設備管理システム
２００    管理装置
２０１    通信部
２０２    設置位置判断部
２０３    設置位置記録部
２０４    点灯指示部
２０５    照度値比較部
２０６    補正情報記録部
２５１    無線ＬＡＮインタフェース
２５２    ＨＤＤ
２５３    ＣＰＵ
３００    設備装置
３０１    通信部
３０２    点灯部
３０３    照度制御部
３０４    照度検出部
３０５    点灯判断部
３５１    無線ＬＡＮインタフェース
３５２    ＣＰＵ
３５３    ＬＥＤ
３５４    照度センサ
【先行技術文献】
【特許文献】
【００７０】
【特許文献１】特開２０１２−１７２９１２号公報
【図１】
2016031866.tif 000003
【図２】
2016031866.tif 000004
【図３】
2016031866.tif 000005
【図４】
2016031866.tif 000006
【図５】
2016031866.tif 000007
【図６】
2016031866.tif 000008
【図７】
2016031866.tif 000009
【図８】
2016031866.tif 000010
【図９】
2016031866.tif 000011
【図１０】
2016031866.tif 000012
【図１１】
2016031866.tif 000013
【図１２】
2016031866.tif 000014
【図１３】
2016031866.tif 000015
【図１４】
2016031866.tif 000016
【図１５】
2016031866.tif 000017
【図１６】
2016031866.tif 000018
【図１７】
2016031866.tif 000019
【図１８】
2016031866.tif 000020
【図１９】
2016031866.tif 000021
【図２０】
2016031866.tif 000022
【図２１】
2016031866.tif 000023
【図２２】
2016031866.tif 000024
【図２３】
2016031866.tif 000025
【図２４】
2016031866.tif 000026
【図２５】
2016031866.tif 000027
【図２６】
2016031866.tif 000028
【図２７】
2016031866.tif 000029
【図２８】
2016031866.tif 000030
【図２９】
2016031866.tif 000031